(57)【要約】      （修正有）【課題】地震で目地部が狭くなるとスムーズに床用目地プレートの後端部を上方へ押し上げることができる上床用目地装置を提供する。【解決手段】一方の躯体の目地部側床面に、反目地部側が傾斜面に形成された目地プレートスライド支持凹部５と、他方の躯体の目地部側床面に形成された目地プレート支持凹部６と、目地プレート支持凹部に後端部が支持され、先端部が目地プレートスライド支持凹部に支持された目地部を覆う床用目地プレート７と、床用目地プレートの後端部を該床用目地プレートの先端部が上方へ回動移動できるように取付ける取付け具８と、床用目地プレートの後部の下部位置の他方の躯体に形成した支持台１８、支持台に下端部が固定された軸に回転可能で、上方へスライド移動して床用目地プレートの後部を押し上げる筒状の押し上げ杆２０、押し上げ杆が回動すると上方へ押し上げられる押し上げ機構２１とで構成する。【選択図】図２
2014084593.tif 000002
【特許請求の範囲】
【請求項１】
目地部を介して設けられた左右の躯体の一方の躯体の目地部側床面に、反目地部側が傾斜面に形成された目地プレートスライド支持凹部と、前記左右の躯体の他方の躯体の前記目地プレートスライド支持凹部と対応する目地部側床面に形成された目地プレート支持凹部と、この目地プレート支持凹部に後端部が支持され、先端部が前記目地プレートスライド支持凹部に支持された前記目地部を覆う床用目地プレートと、この床用目地プレートの後端部を該床用目地プレートの先端部が上方へ回動移動できるように前記他方の躯体に取付ける取付け具と、前記床用目地プレートの後部の下部位置の他方の躯体に形成した支持凹部や固定ピンで固定した支持台、この支持台に下端部が固定された軸、この軸に回転可能で、かつ上方へスライド移動して前記床用目地プレートの後部を押し上げることができる筒状の押し上げ杆、この押し上げ杆が回動すると上方へ押し上げられる押し上げ機構、前記押し上げ杆に一端部が固定され、他端部が前記一方の躯体の目地部側部位に直角よりも小さな角度で当接し、地震で目地部が狭くなると該押し杆を回動させて上方へ押し上げるアームとからなる床用目地プレート押し上げ装置とからなることを特徴とする床用目地装置。
【請求項２】
押し上げ機構は軸の近傍の支持台に固定された上部が傾斜面で、かつ押し上げ杆を回動させるアームが、該傾斜面と当接するガイド片を用いて構成されていることを特徴とする請求項1記載の床用目地装置。
【請求項３】
押し上げ機構は軸の外周部に形成された傾斜溝あるいは傾斜突片と、筒状の押し上げ杆の内壁面に形成された前記傾斜溝あるいは傾斜突片と係合する傾斜突片あるいは傾斜溝であることを特徴とする請求項1記載の床用目地装置。  
【発明の詳細な説明】
【技術分野】
【０００１】
本発明は目地部を介して設けられた左右の建物を含む左右の躯体の目地部を覆う床用目地装置に関する。
【背景技術】
【０００２】
従来、床用目地装置は左右の躯体間の目地部が地震で狭くなると、該目地部を覆っていた床用目地プレートの先端部が上方へ押し上げられるようにスライド移動して危険になるため、床用目地プレートの後端部を床用目地プレートの後部底面に固定した傾斜面が形成された、せり上げプレートを、せり上げバーを用いたせり上げ機構を用いて上方へ押し上げていた。
【０００３】
しかしながら、このように構成された床用目地装置は、せり上げバーをせり上げプレートの傾斜面に沿って移動させることにより、床用目地プレートを上方へ移動させるため、せり上げバーやせり上げプレートに大きな力が加わるため、十分な強度を有する構造にしなければならないとともに、床用目地プレートの底面にせり上げプレートを固定しなければならず、その作業が大変であるとともに、床用目地装置の設置作業に苦労するという欠点があった。
【先行技術文献】
【特許文献】
【０００４】
【特許文献１】特許第３４０２３０７号公報
【特許文献２】特許第３４０９３１２号公報
【発明の概要】
【発明が解決しようとする課題】
【０００５】
本発明は以上のような従来の欠点に鑑み、地震で目地部が狭くなるとスムーズに床用目地プレートの後端部を上方へ押し上げることができるとともに、その押し上げ構造が簡単で、床用目地プレートを加工しなくても設置することができ、その設置作業が容易で、楽に行なうことができる床用目地装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は目地部を介して設けられた左右の躯体の一方の躯体の目地部側床面に、反目地部側が傾斜面に形成された目地プレートスライド支持凹部と、前記左右の躯体の他方の躯体の前記目地プレートスライド支持凹部と対応する目地部側床面に形成された目地プレート支持凹部と、この目地プレート支持凹部に後端部が支持され、先端部が前記目地プレートスライド支持凹部に支持された前記目地部を覆う床用目地プレートと、この床用目地プレートの後端部を該床用目地プレートの先端部が上方へ回動移動できるように前記他方の躯体に取付ける取付け具と、前記床用目地プレートの後部の下部位置の他方の躯体に形成した支持凹部や固定ピンで固定した支持台、この支持台に下端部が固定された軸、この軸に回転可能で、かつ上方へスライド移動して前記床用目地プレートの後部を押し上げることができる筒状の押し上げ杆、この押し上げ杆が回動すると上方へ押し上げられる押し上げ機構、前記押し上げ杆に一端部が固定され、他端部が前記一方の躯体の目地部側部位に直角よりも小さな角度で当接し、地震で目地部が狭くなると該押し杆を回動させて上方へ押し上げるアームとからなる床用目地プレート押し上げ装置とで床用目地装置を構成している。
【発明の効果】
【０００８】
以上の説明から明らかなように、本発明にあっては次に列挙する効果が得られる。
（１）請求項１により、支持台に固定された軸に回転可能で、かつ上方へスライド移動して床用目地プレートの後部を押し上げるので、従来のように床用目地プレートの底面に固定した床用目地プレート押し上げ杆を用いるものに比べ、床用目地プレートに何も設置することなく、床用目地プレート押し上げ装置を取付けることができる。
したがって、設置作業が楽で、容易に行なうことができる。
（２）前記（１）によって、アームで筒状の押し上げ杆を回動させることにより、押し上げ機構によって押し上げ杆が上方へ移動して床用目地プレートの後部を押し上げることができる。
したがって、地震により目地部が狭くなると、床用目地プレートの先端部の傾斜面により上方へ押し上げられるとともに、後部も上方へ押し上げられるため、ほぼ水平状態で床用目地プレートを上方へ移動でき、安全に使用することができる。
（３）前記（１）によって、一端部に筒状の押し上げ杆が取付けられたアームを支持台に固定された軸が内部に入るように押し上げ杆を取付けるだけで、アームを取付けることができる。
したがって、アームの一端部の取付けが容易で、楽に行なうことができる。
（４）前記（１）によって、床用目地プレートの後部底面を筒状の押し上げ杆で押し上げるため、安定状態で押し上げることができる。
（５）請求項２、３も前記（１）〜（４）と同様な効果が得られる。
【図面の簡単な説明】
【０００９】
【図１】本発明を実施するための第１の形態の平面図。
【図２】図１の２−２線に沿う断面図。
【図３】図１の３−３線に沿う断面図。
【図４】本発明を実施するための第1の形態の床用目地プレート押し上げ装置の平面図。
【図５】本発明を実施するための第1の形態の床用目地プレート押し上げ装置の側面図。
【図６】本発明を実施するための第1の形態の目地部が狭くなった床用目地プレート押し上げ装置の平面図。
【図７】図６の側面図。
【図８】本発明を実施するための第1の形態の目地部が狭くなった状態の説明図。
【図９】本発明を実施するための第1の形態の目地部が広くなった状態の説明図。
【図１０】本発明を実施するための第２の形態の平面図。
【図１１】図１０の１１−１１線に沿う断面図。
【図１２】本発明を実施するための第2の形態の床用目地プレート押し上げ装置の説明図。
【図１３】本発明を実施するための第３の形態の平面図。
【図１４】図１３の１４−１４線に沿う断面図。
【図１５】図１３の１５−１５線に沿う断面図。
【発明を実施するための形態】
【００１０】
以下、図面に示す本発明を実施するための形態により、本発明を詳細に説明する。
【００１１】
図１ないし図９に示す本発明を実施するための第１の形態において、１は目地部２を介して設けられた左右の建物を含む左右の躯体３、３間を覆う本発明の床用目地装置で、この床用目地装置１は前記左右の躯体３、３の一方の躯体３の目地部側床面に、反目地部側が傾斜面４に形成された目地部２の幅寸法Ｌとほぼ同じ幅寸法に形成された目地プレートスライド支持凹部５と、この目地プレートスライド支持凹部５と対応する他方の躯体３の目地部側床面に形成された目地プレート支持凹部６と、この目地プレート支持凹部６に後端部が支持され、先端部が前記目地プレートスライド支持凹部５に支持された前記目地部を覆う床用目地プレート７と、この床用目地プレート７の後端部を該床用目地プレート７の先端部が上方へ回動できるように前記他方の躯体３の目地プレート支持凹部６に取付ける取付け具８と、前記左右の躯体３、３が地震で目地部が狭くなり、床用目地プレート７の先端部が前記傾斜面４に沿って上方へ移動すると、後部を上方へ押し上げる床用目地プレート押し上げ装置９とで構成されている。
【００１２】
前記床用目地プレート７は、図２に示すように金属材で浅皿状に形成された床用目地プレート本体１０と、この床用目地プレート本体１０の前方と後方の上部にヒンジ部材１１、１１を介して回動可能に取付けられたカバープレート１２、１２と、前記床用目地プレート本体１０内に充填されたモルタルやコンクリート１３と、このモルタルやコンクリート１３の上面に、必要に応じて設置されるレンガやタイル等の床化粧板１４とで構成されている。
【００１３】
前記取付け具８は前記床用目地プレート７の両側後部に底面が開口する係合ピン収納ボックス１５、１５と、この係合ピン収納ボックス１５、１５内に頭部１６ａが挿入され、前記床用目地プレート７の上下移動が可能に係止する、前記目地プレート支持凹部６の他方の躯体３に固定された係合ピン１６、１６とで構成されている。
【００１４】
前記床用目地プレート押し上げ装置９は、前記床用目地プレート７の後部中央部の下部位置の他方の躯体３に支持凹部１８ａを形成して形成された支持台１８と、この支持台１８に下端部が固定された軸１９と、この軸１９に回転可能で、かつ上方へスライド移動して前記床用目地プレート7の後部を押し上げることができる筒状の押し上げ杆２０と、この押し上げ杆２０が回動すると上方へ押し上げられる押し上げ機構２１と、前記押し上げ杆２０に一端部が固定され、他端部が前記一方の躯体３の目地部側部位に直角よりも小さな角度で当接し、地震で目地部２が狭くなると、該押し上げ杆２０を回動させて上方へ押し上げるアーム２２とで構成されている。
【００１５】
前記押し上げ機構２１は軸１９の近傍の支持台１８に固定された上部が傾斜面２３か、かつ押し上げ機構２０を回動させるアームか、該傾斜面２３と当接するガイド片２４を用いて構成されている。
【００１６】
なお、アーム２２は押し上げ杆２０が床用目地プレート７の自重で押し圧されたところで固定されるので、この状態で直角よりも小さな角度となるように一方の躯体３に当接させ、地震で目地部２が狭くなった時に、確実にアーム２２を回動できるように設定されている。
【００１７】
なお、本発明の実施の形態では目地プレートスライド支持凹部５や目地プレート支持凹部６に直接床用目地プレート７を設置したものについて説明したが、本発明はこれに限らず、必要に応じて目地プレートスライド支持凹部５や目地プレート支持凹部６の上面を金属材製の下地材で覆ってもよい。
【００１８】
上記構成の床用目地装置１は、通常時には図１および図２に示すように左右の躯体３、３間の目地部２は床用目地プレート７で、ほぼ同一面状態で覆われ、人や車両が安全に通行することができる。
【００１９】
地震で、図８に示すように目地部２の幅寸法が狭くなると、左右の躯体３、３が近づくため、床用目地プレート７の先端部が床用目地プレートスライド支持凹部５、傾斜面４をスライド移動し、上方へ押し上げられるとともに、床用目地プレート７の後部は床用目地プレート押し上げ装置９のアーム２２が一方の躯体３によって押し付けられ、筒状の押し上げ杆２０を中心に回動する。
【００２０】
この回動によって、アーム２２はガイド片２４の傾斜面２３によって上方へ移動し、押し上げ杆２０を上方へ押し上げ、床用目地プレート７の後部を上方へ押し上げる。
【００２１】
このため、地震で目地部が狭くなると、床用目地プレート７の先端部は傾斜面４で上方へ移動され、後部は床用目地プレート押し上げ装置９で上方へ押し上げられ、床用目地プレート７が傾斜状態となることなく、ほぼ水平状態で上下移動する。
【００２２】
なお、床用目地プレート７をほぼ水平状態で上下移動させるためには、傾斜面４の傾斜とアーム２４の回動によって、該アーム２２がガイド片２４の傾斜面２３に沿って上方へ移動する移動量を同じに設定することにより、ほぼ水平状態で床用目地プレート７を上方へ移動させることができる。
【００２３】
この時、床用目地プレート７の両端部のカバープレート１２、１２によって、該両端部は傾斜面２５、２５となり、安全に使用することができる。  
【００２４】
なお、地震での揺れ動きが停止すると、床用目地プレート７の自重で押し上げ杆２０やアーム２２が自動的に元の状態へ戻る。
【００２５】
地震によって、図９に示すように目地部２が広くなると、床用目地プレート７の先端部が目地プレートスライド支持凹部５上をスライド移動して、その揺れ動きを吸収する。
なお、地震での揺れ動きが停止すると、自動的に元の状態へ戻る。  
【００２６】
[発明を実施するための異なる形態]
次に、図１０ないし図１５に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２７】
図１０ないし図１２に示す本発明を実施するための第２の形態において、前記本発明を実施するための第１の形態と主に異なる点は、床用目地プレート７の後部中央部の下部位置の他方の躯体３に複数本のアンカーピン２６でアングル状の支持台１８Ａを固定するとともに、該支持台１８Ａに固定された軸１９の外周部に傾斜溝２７あるいは傾斜突片を形成し、筒状の押し上げ杆２０の内壁面に前記傾斜溝２７あるいは、傾斜突片と係合する傾斜突片２８あるいは傾斜溝を形成した押し上げ機構２１Ａを使用した床用目地プレート押し上げ装置９Ａを用いた点で、このような床用目地プレート押し上げ装置９Ａを用いて構成した床用目地装置１Ａにしても、前記本発明を実施するための第１の形態と同様な作用効果が得られる。
【００２８】
図１３ないし図１５に示す本発明を実施するための第３の形態において、前記本発明を実施するための第１の形態と主に異なる点は、床用目地プレート７の中央部と両端部との中間部に位置するように床用目地プレート押し上げ装置９、９を配置した点で、このように床用目地プレート押し上げ装置９、９を配置した床用目地装置１Ｂにしても、前記本発明を実施するための第１の形態と同様な作用効果が得られるとともに、より床用目地プレート７を安定状態で支持することができる。
【産業上の利用可能性】
【００２９】
本発明は目地部を介した左右の躯体間の床目地部を覆う床用目地装置を製造する産業で利用される。
【符号の説明】
【００３０】
１、１Ａ、１Ｂ：床用目地装置、２：目地部、
３：躯体、        ４：傾斜面、
Ｌ：目地部の幅寸法、    
５：目地プレートスライド支持凹部、  
６：目地プレート支持凹部、  ７：床用目地プレート、
８：取付け具、
９、９Ａ：床用目地プレート押し上げ装置、
１０：床用目地プレート本体、  １１：ヒンジ部材、
１２：  カバープレート、    １３：モルタルやコンクリート、
１４：床化粧板、      １５：係合ピン収納ボックス、
１６：係合ピン、      １８、１８Ａ：支持台、
１９：軸、        ２０：押し上げ杆、
２１、２１Ａ：押し上げ機構、  ２２：アーム、
２３：傾斜面、      ２４：ガイド片、
２５：傾斜面、      ２６：アンカーピン、
２７：傾斜溝、      ２８：傾斜突片。
【図１】
2014084593.tif 000003
【図２】
2014084593.tif 000004
【図３】
2014084593.tif 000005
【図４】
2014084593.tif 000006
【図５】
2014084593.tif 000007
【図６】
2014084593.tif 000008
【図７】
2014084593.tif 000009
【図８】
2014084593.tif 000010
【図９】
2014084593.tif 000011
【図１０】
2014084593.tif 000012
【図１１】
2014084593.tif 000013
【図１２】
2014084593.tif 000014
【図１３】
2014084593.tif 000015
【図１４】
2014084593.tif 000016
【図１５】
2014084593.tif 000017